(57)【特許請求の範囲】
【請求項１】
フレーム構造体（１）、マット載せ台（５）およびマットレス（６）から成る組立式耐震ベッドであって、フレーム構造体（１）が、底部フレーム（２）、脚部フレーム（３）、支持フレーム（４）から成る組立式耐震ベッドにおいて、
底部フレーム（２）は、ベッド長手方向に平行に設けられる一対の長手方向底部フレーム（２１）、ベッド長手方向に対し垂直方向に設けられる一対の横断方向底部フレーム（２２）とこれら横断方向底部フレーム（２２）の間、略中央に設けられる中央底部フレーム（２３）から成り、
脚部フレーム（３）は、二つの脚部（３１１）及びこれら脚部（３１１）を接続する一つの接続部（３１２）から成る逆Ｕ字形状に形成された一対の長手方向脚部フレーム（３１）と、三つの脚部（３２１）及びこれら脚部（３２１）を接続する一つの接続部（３２２）から成るＭ字形状に形成された一対の横断方向脚部フレーム（３２）から成り、
長手方向脚部フレーム（３１）は、長手方向底部フレーム（２１）上に、横断方向脚部フレーム（３２）は横断方向底部フレーム（２２）上に其々立設されており、
支持フレーム（４）は、長手方向支持フレーム（４１）及び横断方向支持フレーム（４２）からなり、
長手方向脚部フレーム（３１）には、横断方向支持フレーム（４２）を収容するための切欠き構造が長手方向脚部フレーム（３１）の二つの脚部（３１１）の略延長線上に設けられ、横断方向支持フレーム（４２）には、当該切欠き構造と対応するよう形成された切欠き構造が設けられており、長手方向脚部フレーム（３１）の切欠き構造と横断方向支持フレーム（４２）の切欠き構造が互いに係合状態とされることによって、一対の長手方向脚部フレーム（３１）同士が二つの横断方向支持フレーム（４２）により接続され、
横断方向脚部フレーム（３２）には、長手方向支持フレーム（４１）を収容するための切欠き構造が横断方向脚部フレーム（３２）の三つの脚部（３２１）の略延長線上に設けられ、長手方向支持フレーム（４１）には、当該切欠き構造と対応するよう形成された切欠き構造が設けられており、横断方向脚部フレーム（３２）の切欠き構造と長手方向支持フレーム（４１）の切欠き構造が互いに係合状態となることによって、一対の横断方向脚部フレーム（３２）同士が三つの長手方向支持フレーム（４１）によって接続され、
これら長手方向支持フレーム（４１）及び横断方向支持フレーム（４２）によって形成される支持面上に、マット載せ台（５）が載置されており、
該マット載せ台（５）にマットレス（６）が収容されることを特徴とする組立式耐震ベッド。
【請求項２】
マット載せ台（５）が、底面と、底面に垂直方向に立設させられた三つの起立面から成る箱型のマットレス収容構造として形成されていることを特徴とする請求項１に記載の組立式耐震ベッド。
【請求項３】
長手方向底部フレーム（２１）及び横断方向底部フレーム（２２）に孔部が設けられ、長手方向脚部フレーム（３１）の脚部（３１１）及び横断方向脚部フレーム（３２）の脚部（３２１）に、これら孔部と対応する突出部（３３）が設けられていることを特徴とする請求項１または２に記載の組立式耐震ベッド。
【請求項４】
長手方向支持フレーム（４１）の両端に、各長手方向支持フレーム（４１）の切欠き部（３５）と各脚部フレーム（３）の切欠き部（３５）の係合を案内するためのガイドプレート（４３）が設けられていることを特徴とする請求項１から３のいずれか一項に記載の組立式耐震ベッド。
【請求項５】
横断方向底部フレーム（２２）の両端に凹状構造（２５）が設けられ、中央底部フレーム（２３）の両端に凸状構造（２４）が設けられ、長手方向底部フレーム（２１）に、これら凹状構造（２５）及び凸状構造（２４）に対応する凸状構造（２４）と凹状構造（２５）が設けられていることを特徴とする請求項１から４のいずれか一項に記載の組立式耐震ベッド。
【発明の詳細な説明】
【技術分野】
【０００１】
本発明は、フレーム構造体、マット載せ台およびマットレスから成る組立式耐震ベッドに関する。
【背景技術】
【０００２】
地震が多数発生する我が国においては、耐震機構を設けることに対する需要は大きい。これは一般家庭、旅館施設等で使用されるベッド等の寝具についても同様であり、特に平成２３年３月に発生した東日本大震災以降、その傾向は強まりを見せている。東京都も、平成１８年５月に公表した「首都直下地震による東京の被害想定」を見直し、平成２４年４月に新たな被害想定を公表する等している。当該想定では、東京に大きな被害を及ぼすおそれがある首都直下地震として東京湾北部地震（Ｍ７．３）が選定され、これによる被害の規模等が算定・想定されており、仮に首都直下地震が発生すると新宿区だけでも３，６００等以上が建物倒壊（全壊）の可能性があるとされている。
【０００３】
この為、東京都は、木造家屋を耐震化することに対して所定の条件のもと補助を行うとしており、耐震シェルター・耐震ベッド等も補助の対称となる装置となっている。しかしながら、これまで開発されてきた耐震ベッドはいずれも上部を覆った天蓋式の高さのある機構であったため、大きな横揺れの際に横転の可能性が高い物であった。
【発明の概要】
【発明が解決しようとする課題】
【０００４】
そこで本発明の課題は、震災時発生する可能性のある家屋の倒壊、屋根・窓ガラス等の落下等から使用者を保護することが可能であり、かつ大きな横揺れの際にも横転の可能性が低い組立式耐震ベッドを提供することである。
【課題を解決するための手段】
【０００５】
この課題は請求項１に記載の組立式耐震ベッドにより解決される。本発明に係る組立式ベッドにおいては、フレーム構造体は、底部フレーム、脚部フレーム、支持フレームから成る。耐震構造とするため、フレーム構造体の各部材は重量のある鋼鉄製となっている。そのため組み立てられた完成状態では家屋への搬入が困難である。組立式とすることにより各部材を家屋内に搬入した後に組み立てることが可能となる。
【０００６】
フレーム構造体の底部フレームは、ベッド長手方向に平行に設けられる一対の長手方向底部フレーム、ベッド長手方向に対し垂直方向に設けられる一対の横断方向底部フレームとこれら横断方向底部フレームの間、略中央に設けられる中央底部フレームから成っている。また、脚部フレームは、二つの脚部及びこれら脚部を接続する一つの接続部から成る逆Ｕ字形状に形成された一対の長手方向脚部フレームと、三つの脚部及びこれら脚部を接続する一つの接続部から成るＭ字形状に形成された一対の横断方向脚部フレームから成っている。その際、長手方向脚部フレームは、長手方向底部フレーム上に、横断方向脚部フレームは横断方向底部フレーム上に其々立設されている。長手方向脚部フレームには、支持フレームを収容するための切欠き構造が長手方向脚部フレームの二つの脚部の略延長線上に設けられ、支持フレームには、当該切欠き構造と対応するよう形成された切欠き構造が設けられており、長手方向脚部フレームの切欠き構造と支持フレームの切欠き構造が互いに係合状態とされることによって、一対の長手方向脚部フレーム同士が二つの支持フレームにより接続される。また、横断方向脚部フレームには、支持フレームを収容するための切欠き構造が横断方向脚部フレームの三つの脚部の略延長線上に設けられ、支持フレームには、当該切欠き構造と対応するよう形成された切欠き構造が設けられており、横断方向脚部フレームの切欠き構造と支持フレームの切欠き構造が互いに係合状態となることによって、一対の横断方向脚部フレーム同士が三つの支持フレームによって接続される。これら支持フレームによって形成される支持面上には、マット載せ台が載置されており、該マット載せ台にマットレスが収容される。
【０００７】
これによって、当該耐震ベッドの支持フレームの下には、大人数名を収容するだけの大きな空間が確保されることとなる。また、本発明に係るフレーム構造体の構造によって、本発明に係る組立式耐震ベッドは極めて高い耐圧強度を有する。
【０００８】
本発明の有利な実施形においては、マット載せ台が、底面と、底面に垂直方向に立設させられた三つの起立面から成る箱型のマットレス収容構造として形成されている。これによってマットレスをマット載せ台上に容易に載置することが可能となり、マットレスがマット載せ台上に収容された後は、マットレスはマット載せ台上でずれたり移動したりせず、その位置はマット載せ台上で安定的となる。
【０００９】
本発明の有利な実施形においては、長手方向底部フレーム及び横断方向底部フレームに孔部が設けられ、長手方向脚部フレームの脚部及び横断方向脚部フレームの脚部に、これら孔部と対応する突出部が設けられている。これによって脚部フレームを底部フレーム上に立設させることが極めて容易となり、発明に係る耐震ベッドの組立が容易となる。その上、組み立てられた耐震ベッドは十分な強度を有する。
【００１０】
本発明の有利な実施形においては、支持フレームの両端に、各支持フレームの切欠き部と各脚部フレームの切欠き部の係合を案内するためのガイドプレートが設けられている。支持フレーム、特に長手方向支持フレームは相当程度長さを有するものであるため、ガイドプレートを設けることにより組立ての容易性を向上させる。
【００１１】
本発明の別の有利な実施形においては、横断方向底部フレームの両端に凹状構造が設けられ、中央底部フレームの両端に凸状構造が設けられ、長手方向底部フレームに、これら凹状構造及び凸状構造に対応する凸状構造と凹状構造が設けられている。これにより、組み立てられた底部フレーム、フレーム構造体、ひいては耐震ベッド全体の強度が更に向上する。
【図面の簡単な説明】
【００１２】
【図１】本発明に係る耐震ベッドのフレーム構造の斜視図
【図２】本発明に係る耐震ベッドのフレーム構造の側面図
【図３】本発明に係る耐震ベッドのマット載せ台の図
【図４】本発明に係る耐震ベッドにおいて使用するマットレスの図
【図５】本発明に係る耐震ベッドの一実施例の図
【図６】本発明に係る耐震ベッドの耐圧試験結果
【発明を実施するための形態】
【００１３】
図１は、本発明に係る耐震ベッドのフレーム構造体１の斜視図を示す。当該フレーム構造体１は、各部材を室内に搬入した後、室内で組み立てる組立式構造として構成されている。
【００１４】
フレーム構造体１は、主として、底部フレーム２、脚部フレーム３、及び支持フレーム４から成っている。底部フレーム２は、図１においてベッド長手方向に延在する一対の長手方向底部フレーム２１と、当該長手方向底部フレーム２１に対して垂直方向に延在する一対の横断方向底部フレーム２２によって略長方形状に形成されている。長手方向底部フレーム２１及び横断方向底部フレーム２２は当該実施例においては、細長い平板状の部材から成っている。この実施例においては、長手方向底部フレーム２１の長さは約２０５０ｍｍに形成され、横断方向底部フレーム２２の長さは、約１４５０ｍｍに形成されている。
【００１５】
横断方向底部フレーム２２の間には、その略中央に、中央底部フレーム２３が設けられている。中央底部フレーム２３は本実施例においては横断方向底部フレーム２２に平行に推移しており、横断方向底部フレーム２２と同様、細長い平板状の部材から成っている。
【００１６】
長手方向底部フレーム２１、横断方向底部フレーム２２、及び中央底部フレーム２３は、それぞれ両端部に凸状構造２４又は凹状構造２５を有している。当該実施例においては、例えば中央底部フレーム２３の両端に凸状構造２４が設けられ、横断方向底部フレーム２２の両端に凹状構造２５が設けられている。設けられ凸状構造２４は、円形の一部を欠いた略円形状の構造となっており、凸状構造２４と中央底部フレーム２３は、円形の一部を欠くことにより形成される弦部分で接続された状態となっている。凹状構造２５は、これに対応する略円形状の構造となっている。
【００１７】
長手方向底部フレーム２１と横断方向底部フレーム２２の間の接続は、これら長手方向底部フレーム２１と横断方向底部フレーム２２に設けられた凹状構造２５及び凸状構造２４によって形成されている。この実施例においては、凸状構造２４、および凹状構造２５は、それぞれ円形に形成されているので、水平面内におけるスライドのみでは接続を形成することはできない。これら凸状構造２４及び凹状構造２５を係合させるために、横断方向底部フレーム２２又は長手方向底部フレーム２１の一方を持ち上げ、持ち上げた横断方向底部フレーム２２又は長手方向底部フレーム２１の凸状構造２４又は凹状構造２５が、他方の凹状構造２５又は凸状構造２４がはまり込むように横断方向底部フレーム２２又は長手方向底部フレーム２１を下すことによって接続が形成される。この結果、横断方向底部フレーム２２と長手方向底部フレーム２１の間の接続は、水平方向の移動のみによっては解除することが不可能となる。
【００１８】
本実施例においては、横断方向底部フレーム２２の両端に凹状構造２５が設けられ、中央フレームの両端に凸状構造２４が設けられているが、横断方向底部フレーム２２の両端、中央底部フレーム２３の両端、いずれも凹状構造２５又は凸状構造２４とすることももちろん可能である。
【００１９】
底部フレーム２上には脚部フレーム３が立設されている。詳しく言うと、本実施例においては、一つの長手方向底部フレーム２１上に一つの長手方向脚部フレーム３１が、一つの横断方向底部フレーム２２上に、一つの横断方向脚部フレーム３２が其々立設されている。
【００２０】
本実施例においては、横断方向脚部フレーム３２は、三つの脚部３２１及びこれらを接続する接続部３２２を有し、全体としてアルファベットの「Ｍ」の字の形状に形成されている。三つの脚部３２１は、横断方向底部フレーム２２上に均等間隔に配置されて立設しており、両端の脚部３２１は横断方向底部フレーム２２の両端部に、中央の脚部３２１は横断方向底部フレーム２２の中央に位置している。
【００２１】
長手方向脚部フレーム３１は、本実施例においては二つの脚部３１１及びこれらを接続する接続部３１２を有しており、全体としてアルファベットのＵの字を逆さにした形状に形成されている。長手方向脚部フレーム３１は、長手方向底部フレーム２１の略中央に位置するように配置されている。本実施例においては、長手方向脚部フレーム３１の二本の脚部３１１の間に形成される間隔と、長手方向脚部フレーム３１の脚部３１１と横断方向脚部フレーム３２の脚部３１１の間に形成される間隔が等しくなるように長手方向脚部フレーム３１は形成され、かつ長手方向底部フレーム２１上に配置されている。これにより長手方向底部フレーム２１の全体の長さは、長手方向脚部フレーム３１の脚部３１１によって略均等に三等分されることとなる。
【００２２】
脚部フレーム３（長手方向脚部フレーム３１、横断方向脚部フレーム３２）の底部フレーム２（長手方向底部フレーム２１、横断方向底部フレーム２２）に対する接続は、脚部フレーム３の脚部端部に設けられた突出部３３を底部フレーム２に設けられた孔部２４に挿入することにより確立される。
【００２３】
脚部フレーム３の上側には、切欠き部３５が設けられている。本実施例においては、横断方向脚部フレーム３２には、三つの切欠き部３５が、各脚部３２１の上方に位置する箇所に設けられている。長手方向脚部フレーム３１の上側には二つの切欠き部３５が、同じく各脚部３１１の上方に位置する箇所に設けられている。
【００２４】
図１には、更に支持フレーム４が見て取れる。本実施例においては、３本の長手方向支持フレーム４１を使用する。図中には、これらのうち、図中で最も左側に位置する一本のみが記載されている。本実施例においては横断方向支持フレーム４２は２本使用する。図中には、２本の横断方向支持フレーム４２のうち１本が、その一端のみ表されている。
【００２５】
支持フレーム４には、上述した脚部フレーム３の切欠き部３５と対応する切欠き部３５が設けられている。当該切欠き部３５は、支持フレーム４の両端よりやや内側に位置している。支持フレーム４の切欠き部３５と脚部フレーム３の切欠き部３５の係合を容易にするため、支持フレーム４両端部にはガイドプレート４３が設けられている。
【００２６】
脚部フレーム３（長手方向脚部フレーム３１と横断方向脚部フレーム３２）の高さＨは、脚部フレーム３によって支持フレーム４と床の間に形成される空間に、屈んだ状態又は這いつくばった状態の大人が収納されることが可能であるよう定められている（図２）。本実施例においては、床面から支持フレーム４上面までの高さが約６００ｍｍである。支持フレーム４上に後述するマット載せ台５（図３）及びマットレス６（図３、４等）を載せると床面からベッド上面までの高さは、約９００ｍｍとなるので、引き出し式の踏み箱７を設けてベッド上への昇降を容易にすることが可能である（図２）。当該、踏み箱７の中には緊急時の薬品等を保管しておくことが考えられる。
【００２７】
支持フレーム４上にはマット載せ台５が載置される（図３）。本実施例においてはマット載せ台５は、底面５１と、底面５１から鉛直方向に立設する三つの鉛直方向面５２からなる箱型に形成されている。底面５１は、四つの板上部材から形成されている。マット載せ台５は、本実施例においてはアルミニウム・ステンレス等から形成される。図３にはマット載せ台５上（又はマット載せ台５内）に、二つのマットレス６が載置される（又は収納される）のが見て取れる。
【００２８】
図４はマットレス６の別の実施形態を示す。図３中においては二つのマットレス６をマット載せ台５に載置する実施形が示されていたが、図４においては一つのマットレス６のみが示される。当該マットレス６はいわゆるダブルサイズの基準サイズに形成されている。その長辺が約１９５０ｍｍ、短辺が１４００である。マットレス６の厚さは２００ｍｍに形成されている。
【００２９】
図５に本発明に係る組立式耐震ベッドの別の一つの実施例を示す。当該実施例においては、組立式耐震ベッドに更に開閉式のカーテン８が設けられている。これによってベッド下に形成される空間を外部から目隠しすることが可能となる。
【００３０】
図５において組立式耐震ベッドの使用状態における頭部に当たる位置には、落下物回避機構９が設けられている。これによって、震災発生時に窓ガラス等の破片などがベッド上の人物に対して落下したとしても、これら破片から顔面を防御することが可能となる。
【００３１】
最後に本発明に係る組立式耐震ベッドの耐圧テスト結果について説明する。試験は、耐震ベッドの上面全体に負荷をかける全体圧力方式と、耐震ベッド上面の一部のみに負荷をかける部分圧力方式で実施した。図６に試験結果を示す。示すように、全体に負荷をかけた場合には、１０ｔの負荷をかけた場合にも本発明に係る耐震ベッドの構造に異常はみられなかった。部分負荷試験においては、９，７６ｔの負荷をかけた時点でわずかに変形がみられた。震災時など仮に木造家屋が全壊し、屋根が落下してきた場合にあっても、本発明に係る耐震ベッドの下に潜り込みこれを回避することで安全が図られる。
【符号の説明】
【００３２】
１    フレーム構造体
２    底部フレーム
３    脚部フレーム
４    支持フレーム
５    マット載せ台
６    マットレス
７    踏み箱
８    カーテン
９    落下物回避機構
【要約】      （修正有）【課題】震災時に使用者を保護し、横転の可能性が低い組立式耐震ベッドを提供する。【解決手段】フレーム構造体１、マット載せ台およびマットレスから成る組立式耐震ベッドであって、底部フレーム２は、一対の長手方向底部フレーム２１、一対の横断方向底部フレーム２２と中央底部フレーム２３から成り、脚部フレーム３は、二つの脚部３１１及び一対の長手方向脚部フレーム３１と、三つの脚部３２１及び一対の横断方向脚部フレーム３２から成り、長手方向脚部フレームと支持フレーム４が互いに係合状態とされることによって、一対の長手方向脚部フレーム同士が二つの支持フレームにより接続され、横断方向脚部フレームと支持フレームが互いに係合状態となることによって、一対の横断方向脚部フレーム同士が三つの支持フレームによって接続され、これら支持フレームによる支持面上のマット載せ台にマットレスが収容されることによって解決される。【選択図】図１【図１】
0006033386.tif 000002
【図２】
0006033386.tif 000003
【図３】
0006033386.tif 000004
【図４】
0006033386.tif 000005
【図５】
0006033386.tif 000006
【図６】
0006033386.tif 000007